(57)【要約】【課題】  面実装部品自動装着機により、面実装コネクタ部品であるレセプタクルを印刷配線基板上の所定位置にまで搬送するため、面実装部品自動装着機の部品搬送用吸着ノズルによる該レセプタクルの吸着手段を提供する。【解決手段】  上方からプラグをレセプタクルに挿嵌する面実装コネクタにおいて、該レセプタクルを面実装部品自動装着機により印刷配線基板上に実装時、面実装部品自動装着機の部品搬送用吸着ノズルが当接する吸着面を、該レセプタクルのハウジング側壁の上部端面の略中央位置に設ける。さらには部品搬送用吸着ノズルが安定にレセプタクルを吸着し、印刷配線基板上の所定位置まで搬送することを可能とするため、該吸着面の上面を凹面状とする。【選択図】  図１
2006294355.tif 000002
【特許請求の範囲】
【請求項１】
上方からプラグをレセプタクルに挿抜する面実装コネクタにおいて、該レセプタクルを面実装部品自動装着機により印刷配線基板上に実装時、該面実装部品自動装着機の該部品搬送用吸着ノズルが当接する部品吸着面を、該レセプタクルのハウジング側壁の上部端面に設けたことを特徴とする面実装コネクタ。
【請求項２】
請求項1に記載の面実装コネクタにおいて、レセプタクルのハウジング側壁の上部端面に設けた吸着面を、レセプタクルハウジングの一方の長手方向の側壁上部端面の略中央位置に設けたことを特徴とする面実装コネクタ。
【請求項３】
請求項１、または２に記載の面実装コネクタにおいて、レセプタクルのハウジング側壁の上部端面に設けた吸着面の一部を、該レセプタクルの該ハウジング側壁の内面側に突出させたことを特徴とする面実装コネクタ。
【請求項４】
請求項１乃至３に記載の面実装コネクタにおいて、レセプタクルのハウジング側壁の上部端面に設けた吸着面の上面を凹面状に形成したことを特徴とする面実装コネクタ。
【発明の詳細な説明】
【技術分野】
【０００１】
本発明は、印刷配線基板間を接続する面実装コネクタに関するもので、詳しくは、面実装コネクタのレセプタクルハウジングを構成する長手方向の一方の側壁の上部端面に面実装部品自動装着機による部品搬送用吸着ノズル当接面を具備したことを特徴とする面実装コネクタに関するものである。
【背景技術】
【０００２】
電子機器を構成する印刷配線基板上に面実装部品を実装時、マガジンに収納され、またはテーピングされた所定の面実装部品を、面実装部品自動装着機のヘッドが把持し、印刷配線基板上の所定位置にまで搬送する必要がある。この際に多種で複雑な外郭形状、および多様な外形寸法の面実装部品に整合させた面実装部品自動装着機のヘッドを準備することなく、面実装部品の上面に平坦部を設け、該平坦部を面実装部品自動装着機のヘッド先端に設けられた部品搬送用吸着ノズル先端により吸着させ、印刷配線基板上の所定位置に搬送するシステムが適用されている。
【０００３】
図４（ａ）は面実装部品装着機の部品搬送用吸着ノズルに対応していないコネクタレセプタクルの従来例を示す外観斜視図、図４（ｂ）は側面図である。レセプタクル１１は周囲四側面、および底面がプラスチック部材により構成された箱状のハウジングを形成し、天面はテープ状のＦＰＣ１６（Ｆｌｅｘｉｂｌｅ  Ｐｒｉｎｔｅｄ  Ｃａｂｌｅ）の挿抜を可能とするよう開放されている。該レセプタクル１１の天面の開口部に挿入されるＦＰＣ１６に印刷された多数の端子に接触し、電気接続を成すための発条性を有する金属部材により構成された多数のＦＰＣ接触子（図示せず）がレセプタクル１１内に収容され、各接触子はハウジング底面に配設された対応する半田付け端子１５に導かれている。図４（ｂ）中に示す１７は、ＦＰＣの挿抜時に、柔軟なＦＰＣを損傷させないためにＦＰＣを挟持するためのＦＰＣ把持部である。
【０００４】
コネクタ部品ではレセプタクルの上部からケーブルプラグを挿入するため、レセプタクル上部をケーブルプラグの移動経路として開放構造にする必要がある。したがって、前記面実装部品自動装着機の部品搬送用吸着ノズルが、面実装部品であるレセプタクル上面を吸着し、印刷配線基板上の所定位置にまで搬送することが不可能となる。この課題に対しては、実開平５−３１１８８により着脱自在構造の吸着用補助具を装着する考案がなされている。さらには、特開平９−１１５５９１に見られるごとく、レセプタクル内の多数の端子列の中央位置付近に仕切りを設け、該仕切りの上面に面実装部品自動装着機の部品搬送用吸着ノズルが当接可能な吸着面を備える考案がなされている。
【０００５】
前記の実開平５−３１１８８では、用済み後に着脱自在構造の吸着用補助具を取り外す作業を必要とし、また、取り外した吸着用補助具を廃棄することによる地球環境への負荷増大という課題をも抱える。一方、特開平９−１１５５９１では、レセプタクル内の多数の端子列の中央付近に仕切りを設け、該仕切りの上面を面実装部品自動装着機の部品搬送用吸着ノズルが吸着し、印刷配線基板上の所定位置にまで搬送するため、少なくとも部品搬送用吸着ノズル外径よりも該仕切りの幅寸法を大きくする必要がある。従って、該仕切りが存在する部分には端子を配設することが出来ず、特に印刷配線基板への部品の高密度実装が要求される小型コネクタで問題となる。
【０００６】
このため、図５（ａ）の外観斜視図、および図５（ｂ）の側面図に示す第１の従来例のごとく、プラスチック部材により構成される吸着用フィルム２３をハウジング側壁２２の上部端面を含むレセプタクル２１の上面に貼着し、面実装部品自動装着機の部品搬送用吸着ノズルが、面実装部品である該レセプタクル２１の上面に貼着された吸着用フィルム２３を吸着することにより、該レセプタクル２１を印刷配線基板上の所定位置にまで搬送する手段が実用化されている。レセプタクル２１を印刷配線基板上に装着後、ＦＰＣを該レセプタクル２１に挿嵌するため、レセプタクル２１の天面を開放状態にする必要があり、従って、レセプタクル２１から吸着用フィルム２３を剥離する作業を必要とし、剥離された吸着用フィルム２３は不要物となり廃棄され、廃棄物は地球環境への負荷を増大させる。
【０００７】
図６は第２の従来例で、図６（ａ）は外観斜視図、図６（ｂ）は側面図を示す。吸着用カバー３３がハウジング側壁３２、および対向する側壁の内面に挿嵌され、レセプタクル３１、および吸着用カバー３３が一体に係止されている。面実装部品自動装着機の部品搬送用吸着ノズルが、面実装部品である該レセプタクル３１の天面に係止された吸着用カバー３３を吸着し、印刷配線基板上の所定位置にまで搬送する。レセプタクル３１が印刷配線基板上に装着されると、コネクタプラグを該レセプタクル３１に挿嵌するために、レセプタクル３１の天面を開放状態にする必要があるため、前記第１の従来例と同様に、レセプタクル３１から吸着用カバー３３が取り外される。取り外された該吸着用カバー３３は廃棄され、地球環境への負荷を増大させる。
【特許文献１】特開平９−１１５５９１  「コネクタ」
【特許文献２】実開平５−３１１８８  「コネクタの吸着用補助具および吸着対応型コネクタ」
【発明の開示】
【発明が解決しようとする課題】
【０００８】
面実装部品自動装着機の部品搬送用吸着ノズルにより面実装コネクタのレセプタクルを吸着し、印刷配線基板上の所定位置にまで搬送するため、レセプタクル内の多数の端子列の中央位置に仕切りを設け、該仕切りの上部端面に面実装部品自動装着機の部品搬送用吸着ノズルが当接可能な吸着面を備える従来例による手段では、該仕切りの幅寸法を少なくとも部品搬送用吸着ノズルの外径よりも大きくする必要があり、該仕切りが存在する部分にはコネクタ端子を配設することが出来ず、特に部品の高密度実装が要求される小型のコネクタで問題となる。また、上記課題を解決する手段としてレセプタクルの上面に部品搬送用吸着ノズルによる吸着面を具備する手段として、吸着用フィルム、または吸着用カバーを配設する手段が考案されているが、レセプタクルを印刷配線基板上の所定位置に装着後は、該吸着用フィルム、または該吸着用カバーは不要物となり、これらを取り外す作業を必要とし、さらには、取り外された不要物の廃棄が地球環境への負荷の増大を招く。
【課題を解決するための手段】
【０００９】
上方からプラグをレセプタクルに挿嵌する面実装コネクタにおいて、該面実装コネクタを構成する該レセプタクルを面実装部品自動装着機により印刷配線基板上の所定の位置へ搬送時に、面実装部品自動装着機の部品搬送用吸着ノズルが当接する平坦形状の吸着面を、該レセプタクルの長手方向のハウジング側壁の一方の上部端面の略中央位置に設ける。
【００１０】
前述の面実装コネクタにおいて、レセプタクルの長手方向のハウジング側壁の一方の上部端面の略中央に設けた吸着面の一部を、該レセプタクルのハウジング側壁の内面側に突出させる。
【００１１】
さらには、レセプタクルの長手方向のハウジング側壁の一方の上部端面の略中央位置に設けた該吸着面の上面を凹面状に形成する。
【発明の効果】
【００１２】
面実装部品自動装着機の部品搬送用吸着ノズルが当接する吸着面を、レセプタクルのハウジング側壁の上部端面にレセプタクルハウジングと一体に成型することにより、従来例に見られる別体の吸着用フィルムをレセプタクル側壁に貼着、または吸着用カバーをレセプタクル側壁に係止する必要が無く、また、該レセプタクルを面実装印刷配線基板に装着後に該吸着用フィルムや該吸着用カバーを取り外す作業を廃止することが可能となるとともに、取り外された不要物である廃棄物が、地球環境への負荷を増大させることをも防止することが出来る。
【００１３】
また、前述のレセプタクルのハウジング側壁の上部端面に設けた吸着面の一部を、該レセプタクルのハウジング側壁の内面側に突出させ、吸着部突起を形成すると共に、該レセプタクルに挿嵌されるＦＰＣ把持部の当該部分の該吸着部突起と整合する位置に吸着部突起逃げを形成することにより、該吸着部突起が、ＦＰＣを該レセプタクルに適正な方向で挿嵌させるためのガイドキーとしての機能を果たすことが出来る。
【００１４】
さらに、面実装部品自動装着機の部品搬送用吸着ノズルが、レセプタクルを把持するために、レセプタクルの吸着面上部にまで移動し、さらに下降した時に、部品搬送用吸着ノズルの軸中心、および吸着面中心との間に位置ずれがある場合においても、吸着面の上面を凹面状に形成することにより、凹面内周部の傾斜面に沿って、レセプタクル、またはおよび部品搬送用吸着ノズルの位置ずれを強制的に修正することが出来る。
【発明を実施するための最良の形態】
【００１５】
図１（ａ）は、本発明による第１の実施例を示す外観斜視図である。レセプタクル１を構成する周囲四側面のうちの長手方向の一方のハウジング側壁２の上部端面の略中央位置に、面実装部品自動装着機の部品搬送用吸着ノズルの外径よりも大きい直径を有する吸着面３を、ハウジング側壁２と一体に成型している。
【００１６】
図１（ｂ）は、図１（ａ）中に鎖線Ｃ−Ｃで示す切断線に沿って切断した縦断面の拡大図である。図１（ｂ）に示すごとく、レセプタクル１は周囲四側面、および底面が箱状のハウジングにより構成され、レセプタクル天面開口部８はテープ状のＦＰＣの挿抜が出来るよう開放されている。該ＦＰＣに印刷された多数の端子に接触し、電気接続を成すための発条性を有する金属部材により構成された多数のＦＰＣ接触子６がレセプタクル１内に収容され、該ＦＰＣ接触子６はハウジング底面に配設された対応する半田付け端子５に導かれている。
【００１７】
図１（ｂ）の吸着面３の直径は、面実装部品自動装着機の部品搬送用吸着ノズル７の外径より大きく形成されている。図１（ｂ）中に矢印で示すごとく、面実装部品自動装着機の部品搬送用吸着ノズル７が下降し、吸着面３に当接すると、部品搬送用吸着ノズル７内は負圧に維持されているため、部品搬送用吸着ノズル７の先端の吸気孔に吸着面３が吸着固定され、レセプタクル１は部品搬送用吸着ノズル７により懸吊されながら、面実装印刷配線基板上の所定位置まで安定に搬送される。
【００１８】
本発明では、吸着面３をレセプタクル１の長手方向のハウジング側壁２の一方の略中央位置に配設しているため、レセプタクル１全体の重心位置、および面実装部品自動装着機の部品搬送用吸着ノズル７の軸中心線が接近し、吸着面を介して部品搬送用吸着ノズル７により懸吊され、搬送されるレセプタクル１の傾きを回避し、または、面実装部品自動装着機の部品搬送用吸着ノズル７の先端により吸着されているレセプタクル１が搬送中の振動、および搬送開始時、または搬送停止時の慣性により振り落とされることを防止することが出来る。
【００１９】
図２は本発明の第２の実施例を示し、図２（ａ）はＦＰＣの先端部分の分解斜視図、図２（ｂ）は該ＦＰＣが挿入されるレセプタクルの外観斜視図である。図２（ａ）に示す４６は柔軟な樹脂フィルム基材に印刷回路を銅箔部材により形成したＦＰＣで、該ＦＰＣ４６先端のＦＰＣ端子４６ｂは、レセプタクル４１内のＦＰＣ接触子（図示せず）との接続のために回路銅箔を露出させている。
【００２０】
図２（ａ）中に示す４７はＦＰＣ把持部であり、柔軟なフィルム状のＦＰＣ４６をレセプタクル４１に挿抜時に、過剰なストレスが該ＦＰＣ４６に加えられ、該ＦＰＣ４６を形成するフィルム基材や回路導体が損傷されることを防止し補強するため、該ＦＰＣ把持部４７は樹脂部材の成型加工により形成されている。該ＦＰＣ把持部４７には図示するごとく、レセプタクル側壁に接する面の一部に、半円筒形状の吸着部突起逃げ４７ｂの陥没部分を形成している。さらに、ＦＰＣ把持部４７の該吸着部突起逃げ４７ｂの反対面には複数のＦＰＣ取り付け用突起４７ａが形成され、該ＦＰＣ取り付け用突起４７ａはＦＰＣ４６の先端近傍に穿設された複数の突起嵌入孔４６ａに嵌入され、ＦＰＣ４６、およびＦＰＣ把持部４７は一体に係合される。
【００２１】
ＦＰＣ把持部４７が一体に係合されたＦＰＣ４６は、図２（ａ）中に鎖線矢印で示すごとく、図２（ｂ）に示すレセプタクル４１の上部開口部から挿入される。挿入時に、レセプタクル４１の吸着面４３ａを構成する半円筒形の吸着部突起４３がハウジング側壁４２の内側に突出しているため、該吸着部突起４３、およびＦＰＣ把持部４７の吸着部突起逃げ４７ｂとの相互位置関係が整合しない限り、該ＦＰＣ４６をレセプタクル４１に挿入することが出来ず、誤挿入による誤接続を未然に防止するフェイルセーフシステムを構成する。
【００２２】
図３は本発明の第３の実施例であり、レセプタクルのハウジング側壁９の上端に該ハウジング側壁９と一体に成型された吸着面の上面を凹面状に形成した吸着部４の拡大縦断面図を示している。吸着部４の上面は面実装部品自動装着機の部品搬送用吸着ノズル７の先端外周部が当接する直径より大きい吸着部底面４ｂを備えるとともに、吸着部底面４ｂの外周から吸着部４の上部外周に向かう吸着部傾斜面4ａを形成している。
【００２３】
従って、図３中に矢印で示すごとく部品搬送用吸着ノズル７が吸着部４に向かい下降した際に、部品搬送用吸着ノズル７、および吸着部４の各中心に位置ずれがある場合においても、部品搬送用吸着ノズル７の外壁が吸着部傾斜面４ａに当接しながら下降するため、部品搬送用吸着ノズル７、または吸着部４を水平面内で移動させる横方向の分力が働き、部品搬送用吸着ノズル７、および吸着部４の吸着部底面４ｂ相互の位置ずれが適切に修正され、面実装部品自動装着機の部品搬送用吸着ノズル７がレセプタクルを安定に吸着し、搬送することができる。
【産業上の利用可能性】
【００２４】
本発明では、面実装部品自動装着機の部品搬送用吸着ノズルにより面実装部品を把持し、面実装印刷配線基板上の所定位置に搬送する手段を、コネクタの構成要素であるレセプタクル、およびＦＰＣを実施例として説明しているが、これに限定せず同様構造を有する他の面実装部品に適用しても好適である。
【図面の簡単な説明】
【００２５】
【図１】本発明の第１の実施例であるレセプタクルハウジングの図１（ａ）は外観斜視図、図１（ｂ）は縦断面図である。
【図２】本発明の第２の実施例を示し、図２（ａ）はＦＰＣの外観斜視図、図２（ｂ）はレセプタクルの縦断面図である。
【図３】本発明の第３の実施例である吸着部の拡大縦断面図である。
【図４】レセプタクルの従来例で、図４（ａ）は外観斜視図、図４（ｂ）はＦＰＣ挿入時のレセプタクル側面図である。
【図５】第１の従来例を示す図５（ａ）は外観斜視図、図５（ｂ）は側面図である。
【図６】第２の従来例を示す図６（ａ）は外観斜視図、図６（ｂ）は側面図である。
【符号の説明】
【００２６】
１：  レセプタクル
２：  ハウジング側壁
３：  吸着面
４：  吸着部
４ａ：  吸着部傾斜面
４ｂ：  吸着部底面
５：  半田付け端子
６：  ＦＰＣ接触子
７：  部品搬送用吸着ノズル
８：  レセプタクル天面開口部
９：  ハウジング側壁
１１：  レセプタクル
１２：  ハウジング側壁
１５：  半田付け端子
１６：  ＦＰＣ
１７：  ＦＰＣ把持部
２１：  レセプタクル
２２：  ハウジング側壁
２３：  吸着用フィルム
２５：  半田付け端子
３１：  レセプタクル
３２：  ハウジング側壁
３３：  吸着用カバー
３５：  半田付け端子
４１：  レセプタクル
４２：  ハウジング側壁
４３：  吸着部突起
４３ａ：  吸着面
４５：  半田付け端子
４６：  ＦＰＣ
４６ａ：  突起嵌入孔
４６ｂ：  ＦＰＣ端子
４７：  ＦＰＣ把持部
４７ａ：  ＦＰＣ取り付け用突起
４７ｂ：  吸着部突起逃げ
【図１】
2006294355.tif 000003
【図２】
2006294355.tif 000004
【図３】
2006294355.tif 000005
【図４】
2006294355.tif 000006
【図５】
2006294355.tif 000007
【図６】
2006294355.tif 000008